(57)【要約】【課題】  外部装置（例えばファクシミリ装置２１及びＰＣ４０）と画像データの通信を行なう通信部３を有する画像処理装置１００に於いて消費電力の低減を図ること。【解決手段】  ＲＯＭ８は、ファクシミリ装置２１と、送信制御を行う第１のプログラムと、受信制御を行う第２のプログラムとを別々に記憶し、主制御部４は、通信要求情報を受入れると、該通信要求情報が送信要求であるか、受信要求であるかを判断し、通信部３は、画像データの通信に先立って、上記主制御部４の判断結果が、送信要求であるとＲＡＭ１５へ上記第１のプログラムを転送し、受信要求であるとＲＡＭ１５へ上記第２のプログラムを転送する。【選択図】        図１
2008060756.tif 000002
【特許請求の範囲】
【請求項１】
外部装置と画像データの通信を行なう通信部を有する画像処理装置であって、
前記外部装置と送信制御を行う第１の制御プログラムと前記外部装置と受信制御を行う第２の制御プログラムとを記憶する記憶部と、
通信要求情報を受入れると、該通信要求情報が送信要求であるか、受信要求であるかを判断するモード判断部とを備え、
前記通信部は、制御プログラム格納メモリを有し、前記画像データの通信に先立って、前記モード判断部の判断結果が、送信要求であると前記第１のプログラムを受入れて前記制御プログラム格納メモリに格納し、前記受信要求であると前記第２のプログラムを受入れて前記制御プログラム格納メモリに格納することを特徴とする画像処理装置。
【請求項２】
前記要求情報は、
前記外部装置から受入れる着信情報と、前記画像処理装置が生成するオペレータ指示情報とを含むことを特徴とする請求項１に記載の画像処理装置。
【請求項３】
前記通信部は、
前記制御プログラム格納メモリへの電源供給を切り替える電源切替部を更に備え、前記制御プログラム格納メモリへの電源供給を制御することを特徴とする請求項１に記載の画像処理装置。
【発明の詳細な説明】
【技術分野】
【０００１】
本発明は、外部装置と画像データの通信を行う画像処理装置に関する。
【背景技術】
【０００２】
外部装置と画像データの通信を行なう通信部を有する従来の画像処理装置では、画像データの通信に先立って、上記通信部は、装置本体から外部装置用の制御プログラムを受信し、それを一旦不揮発性メモリ（具体的にはフラッシュメモリ）に書き込んだ後にダウンロードしていた。
【特許文献１】特開２００３−２５９０２８号公報
【発明の開示】
【発明が解決しようとする課題】
【０００３】
しかしながら、上記外部装置と画像データの通信を行なうために必要な制御プログラム全体をダウンロードしていたため、通信部は、容量の大きな不揮発性メモリを備えなければならなかった。その結果、消費電力が大きくなってしまうという、解決すべき課題が残されていた。
【課題を解決するための手段】
【０００４】
本発明による画像処理装置は、外部装置と画像データの通信が可能な通信部を有する画像処理装置であって、上記外部装置と送信制御を行う第１の制御プログラムと上記外部装置と受信制御を行う第２の制御プログラムとを別々に記憶する記憶部と、通信要求情報を受入れると、該通信要求情報が送信要求であるか、受信要求であるかを判断するモード判断部とを備え、上記通信部は、制御プログラム格納メモリを有し、上記画像データの通信に先立って、上記モード判断部の判断結果が、送信要求であると上記第１のプログラムを受入れて上記制御プログラム格納メモリに格納し、上記受信要求であると上記第２のプログラムを受入れて上記制御プログラム格納メモリに格納することを主要な特徴とする。
【発明の効果】
【０００５】
外部装置と送信制御を行う第１のプログラム、及び、外部装置と受信制御を行う第２のプログラムとを別々に記憶する記憶部と、通信要求情報を受入れて該通信要求情報が送信要求であるか、受信要求であるかを判断するモード判断部とを備えることにより、該モード判断部の判断結果が、送信要求であると通信部へ上記第１のプログラムを転送し、受信要求であると通信部へ上記第２のプログラムを転送すること、即ち、必要なプログラムのみを転送することが可能になるので、容量の大きな不揮発性メモリを備える必要が無くなり、部品点数の削除、及びそれに伴う消費電力の低減が可能になるという効果を得る。
【発明を実施するための最良の形態】
【０００６】
本発明による画像処理装置は以下のように構成される。
【実施例１】
【０００７】
図１は、実施例１の構成の機能ブロック図である。
図に示すように、実施例１の画像処理装置１００は、本体２と、該本体２を通信回線１８を介して外部装置（図ではファクシミリ装置２１とＰＣ４０）と接続する通信部３を備える。更に、本体２は、主制御部４と、操作部５と、スキャナ部６と、プリンタ部７と、ＲＯＭ８と、ＲＡＭ９と、画像処理部１０と、外部インタフェース１１と、ＵＳＢホスト部１２とを有し、通信部３は、制御部１３と、ＵＳＢデバイス部１４と、ＲＡＭ１５と、変調／復調部１６と、通信回線インタフェース１７と、ＲＯＭ１９とを有している。
【０００８】
主制御部４は、ＲＯＭ８に予め格納されている所定の制御プログラムを実行することによって本体２の各機能ブロック部分を起動・生成するとともに、装置全体を制御するＣＰＵである。操作部５は、図示しないキースイッチや表示板等を有し、オペレータが各種指示入力を行う操作板である。スキャナ部６は、送信原稿から画像データを読取る部分である。プリンタ部７は、所定の媒体上に画像を印刷する部分である。ＲＯＭ８は、主制御部４が実行することによって装置全体を制御する制御プログラムを予め格納する不揮発性メモリである。この内容については、後に他の図を用いて再度詳細に説明する。ＲＡＭ９は、主制御部４が所定の制御プログラムを実行するときに必要になる演算領域を提供する揮発性メモリである。
【０００９】
画像処理部１０は、画像データを加工する部分である。この部分は、主制御部４が、ＲＯＭ８に予め格納されている所定の制御プログラムを実行することによって起動・生成される機能を機能ブロックとして表現した部分である。外部インタフェース１１は、外部装置（ここではＰＣ４０）と、画像処理装置１００とを通信接続するインタフェースの役割を分担する部分である。ＵＳＢホスト部１２は、本体２と通信部３とを接続するＵｎｉｖｅｒｓａｌ  Ｓｅｒｉａｌ  Ｂｕｓの親機である。
【００１０】
制御部１３は、ＲＯＭ１９に予め格納されている所定の制御プログラムを実行することによって通信部３の各機能ブロックを起動・生成するとともに全体を制御するＣＰＵであり、ＲＯＭ１９を含むワンチップマイコンである。ＵＳＢデバイス部１４は、本体２と通信部３とを接続するＵｎｉｖｅｒｓａｌ  Ｓｅｒｉａｌ  Ｂｕｓの子機である。ＲＡＭ１５は、制御部１３が所定の制御プログラムを実行するときに必要になる演算領域を提供する揮発性メモリである。この内容については、後に他の図を用いて再度詳細に説明する。ＲＯＭ１９は、制御部１３が実行することによって通信部３全体を制御する制御プログラムを予め格納する不揮発性メモリである。この内容については、後に他の図を用いて再度詳細に説明する。
【００１１】
変調／復調部１６は、データを変調あるいは復調する部分である。この部分は、制御部１３が、ＲＯＭ１９に予め格納されている所定の制御プログラムを実行することによって起動・生成される機能を機能ブロックとして表現した部分である。通信回線インタフェース１７は、通信回線１８と、画像処理装置１００とを通信接続するインタフェースの役割を分担する部分である。
【００１２】
図２は、ＲＯＭ８の内容説明図である。
図に示すようにＲＯＭ８には、本体制御用プログラム３０と、通信部用送信制御プログラム３２と、通信部用受信制御プログラム３３とが格納されている。又、本体制御用プログラム３０の内部には、動作モード判定、及び、転送モード指示用プログラム３１を含んでいる。
【００１３】
図３は、ＲＡＭ１５の内容説明図である。
図に示すようにＲＡＭ１５は、データを一時的に記憶するバッファ３４と、通信部用プログラム格納エリア３５とで構成されている。バッファ３４は、ＩＴＵ−Ｔ（国際電気通信連合）勧告で定められる誤り訂正機能（ＥＣＭ：Ｅｒｒｏｒ  Ｃｏｒｒｅｃｔｉｏｎ  Ｍｏｄｅ）を実現するために最低１パーシャルページ分（６４ＫＢｙｔｅ）の容量を有している。
【００１４】
図４は、ＲＯＭ１９の内容説明図である。
図に示すようにＲＯＭ１９には、通信部メインプログラム３６と、転送制御用プログラム３７と、着信検定用プログラム３８とが格納されている。
【００１５】
以上説明した実施例１の画像処理装置１００は主な機能としてスキャナ機能、プリンタ機能、複写機能、ファクシミリ機能を有する。先ず、各機能の動作概要を説明する。
［スキャナ機能］
原稿をスキャナ部６（図１）で読取り、ＲＡＭ９（図１）に一旦格納した画像データを画像処理部１０（図１）でＰＤＦフォーマット等に加工したあと、予め操作部５（図１）から入力された宛先アドレスのＰＣ４０（図１）へ外部インタフェース１１（図１）を経由して送信する。
【００１６】
［プリンタ機能］
外部インタフェース１１（図１）を経由してＰＣ４０（図１）から受信したＰＤＬ等の印刷データをＲＡＭ９（図１）に一旦格納し、画像処理部１０（図１）で画像データに展開した後、プリンタ部７（図１）で記録紙に電子写真方式等で印刷する。
【００１７】
［複写機能］
原稿をスキャナ部６（図１）で読取り、ＲＡＭ９（図１）に一旦格納した画像データをプリンタ部７（図１）で記録紙に電子写真方式等で印刷する。
【００１８】
［ファクシミリ機能］
ファクシミリ送信時に画像データは、原稿からスキャナ部６（図１）によって読取られ、ＲＡＭ９（図１）に一旦格納される。画像処理部１０（図１）でＭＨ（Ｍｏｄｉｆｉｅｄ−Ｈｕｆｆｍａｎ）、ＭＲ（Ｍｏｄｉｆｉｅｄ−Ｒｅａｄ）、ＭＭＲ（Ｍｏｄｉｆｉｅｄ−Ｍｏｄｉｆｉｅｄ−Ｒｅａｄ）等の符号化方式で符号化された後、ＵＳＢホスト部１２（図１）、ＵＳＢデバイス部１４（図１）を経由して、１パーシャルページ分が一旦バッファ３４（図３）に転送され、変調／復調部１６でＩＴＵ−Ｔ（国際電気通信連合）勧告Ｖ．３４、Ｖ．１７、Ｖ２９、等に則って変調された後、通信回線インタフェース１７（図１）より、通信回線１８、交換局２０を経由して他のファクシミリ装置２１へ送信される。１パーシャルページ分が誤りなく送信されると次のパーシャルページ分がＲＡＭ１５のバッファ３４（図３）に転送され、これが最終ページまで繰返される。
【００１９】
ファクシミリ受信時には、通信回線インタフェース１７（図１）を経由して他のファクシミリ装置２１から送られてくる変調された信号が、変調／復調部１６で復調され、１パーシャルページ分が、一旦ＲＡＭ１５のバッファ３４に格納される。１パーシャルページ分が、誤りなく受信されたことが確認されると、ＵＳＢデバイス部１４、ＵＳＢホスト部１２（図１）、を経由してＲＡＭ９に転送されつつ、次の１パーシャルページ分が受信される。ＲＡＭ９に転送された受信データは、画像処理部１０で復号化された後、プリンタ部７で印刷出力される。
【００２０】
次に、本発明に係るファクシミリ機能の動作について詳細に説明する。
図５は、動作モード判定及び転送モード指示のフローチャートである。
このフローチャートは、ＵＳＢホスト部１２（図１）が通信部３（図１）からＵＳＢデバイス部１４（図１）を経由して着信情報を受信したことを主制御部４（図１）が検知した場合、及びオペレータによって操作部５よりファクシミリ送信指示が入力されたことを主制御部４（図１）が検知した場合にファクシミリ送信、あるいはファクシミリ受信を開始する前に実行される。
【００２１】
ステップＳ１−１
主制御部４（図１）が着信情報を検知するとステップＳ１−２へ進み、それ以外の場合はステップＳ１−４へ進む。
【００２２】
ステップＳ１−２
主制御部４（図１）は、ＵＳＢホスト部１２（図１）に対して転送要求コマンドをＵＳＢデバイス部１４（図１）に送信するように指示した後ステップＳ１−３へ進む。
【００２３】
ステップＳ１−３
主制御部４（図１）は、ＵＳＢホスト部１２（図１）に対して通信部用受信制御プログラム３３（図２）をＵＳＢデバイス部１４（図１）に転送させてフローを終了する。
【００２４】
ステップＳ１−４
主制御部４（図１）は、オペレータが操作部５（図１）を介してファクシミリ送信指示を入力したことを確認した場合にはステップＳ１−５へ進み、確認できない場合はフローを終了する。
【００２５】
ステップＳ１−５
主制御部４（図１）は、ＵＳＢホスト部１２（図１）に対して転送要求コマンドをＵＳＢデバイス部１４（図１）に送信するように指示した後ステップＳ１−６へ進む。
【００２６】
ステップＳ１−６
主制御部４（図１）は、ＵＳＢホスト部１２（図１）に対して通信部用送信制御プログラム３２（図２）をＵＳＢデバイス部１４（図１）に転送させてフローを終了する。
【００２７】
図６は、実施例１の通信部メインプログラム３６（図４）の動作フローチャートである。
このプログラムは、通信部３（図１）に電源が供給されると実行開始される。画像処理装置１００（図１）に対してファクシミリ送信を希望するファクシミリ装置２１（図１）は、先ず画像処理装置１００（図１）が接続されている通信回線１８（図１）に割当てられた電話番号を交換局２０（図１）に向けて発呼する。交換局２０（図１）は、電話番号を受け取ると、通信回線１８（図１）上に特定の周波数と周期を有するＲＩＮＧ信号（所謂呼び出し信号）を送出する。通信回線インタフェース１７（図１）は、ＲＩＮＧ信号を論理信号に変換し、着信信号として制御部１３（図１）へ送出し、以下のフローへ進む。
【００２８】
ステップＳ１−１１
制御部１３（図１）が、着信信号を検出するとステップＳ１−１２へ進み、それ以外の場合にはステップＳ１−１６へ進む。
【００２９】
ステップＳ１−１２
制御部１３（図１）が、着信検定用プログラム３８（図４）をＲＯＭ１８（図１）から読み出して着信検定を実行する。具体的には、制御部１３に内蔵されている図示しないタイマーを使用し、着信信号の“１”、“０”の切替わり時間を計測し、周波数と周期とを算出し、周波数と周期が所定の範囲内に有るか否かを検定し、所定の範囲内であれば検定結果ＯＫを、所定の範囲内になければ検定結果ＮＧをプログラムの戻り値として出力する。
【００３０】
ステップＳ１−１３
制御部１３（図１）は、着信検定の結果を判定し、ＮＧであればステップＳ１−１６へ進み、ＯＫであればステップＳ１−１４へ進む。
【００３１】
ステップＳ１−１４
制御部１３（図１）は、着信信号受信情報が送信済みか否かを判定し、送信済みであればステップＳ１−１６へ進み、送信済みでなければステップＳ１−１５へ進む。
【００３２】
ステップＳ１−１５
制御部１３（図１）は、ＵＳＢホスト部１２（図１）に対して着信信号受信情報を送信するようにＵＳＢデバイス部１４（図１）へ指示してステップＳ１−１６へ進む。
【００３３】
ステップＳ１−１６
制御部１３（図１）は、転送要求コマンドをＵＳＢデバイス部１４（図１）が受信したか否かを判定する。転送要求コマンドを受信していない場合にはステップＳ１−１１へ戻り、受信している場合は、ステップＳ１−１７へ進む。
【００３４】
ステップＳ１−１７
制御部１３（図１）は、転送制御用プログラム３７（図４）を読み出してプログラム転送を実行する。具体的には、ＵＳＢデバイス部１４（図１）に指示してＵＳＢホスト部１２（図１）から送信されてくる通信部用送信制御プログラム３２（図２）あるいは通信部用受信制御プログラム３３（図２）の内容を受信し、通信部用プログラム格納エリア３５（図３）に格納する。
【００３５】
ステップＳ１−１８
制御部１３（図１）は、通信部用プログラム格納エリア３５（図３）に格納されたプログラムを読み出して通信を実行し、終了するとステップＳ１−１１へ戻る。
以上説明した処理は、通信部３への電源供給が遮断されるまで繰返して実行される。
【００３６】
図７は、実施例１の画像処理装置の状態遷移図（その１）である。
図は、画像処理装置１００（図１）が、ファクシミリ装置２１（図１）からファクシミリ受信する際に於ける本体２、通信部３、ファクシミリ装置２１の状態遷移図である。以下に時刻順に状態の遷移について説明する。
【００３７】
時刻Ｔ１
ファクシミリ装置２１が通信回線１８（図１）に割当てられた電話番号を交換局２０に発呼すると、交換局２０は、通信回線１８（図１）上にＲＩＮＧ信号を送信する。通信部３は、着信信号（ＲＩＮＧ信号）の検定を行う（図６のステップＳ１−１１、ステップＳ１−１２、ステップＳ１−１３）。
【００３８】
時刻Ｔ２
検定結果がＯＫであれば、通信部３の制御部１３（図１）は、ＵＳＢデバイス部１４（図１）、ＵＳＢホスト部１２（図１）、を介して本体２の主制御部４（図１）に対して着信信号受信情報を送信する（図６のステップＳ１−１４、ステップＳ１−１５）。
【００３９】
時刻Ｔ３
上記時刻Ｔ２で着信信号受信情報を受信した本体２の主制御部４（図１）は、ＵＳＢホスト部１２（図１）、ＵＳＢデバイス部１４（図１）を介して転送要求コマンドを通信部３へ送信する（図５のステップＳ１−２）。
【００４０】
時刻Ｔ４
本体２の主制御部４（図１）は、ＵＳＢホスト部１２（図１）、ＵＳＢデバイス部１４（図１）を介して通信部用受信制御プログラム３３（図２）の内容を通信部３へ送信する（図５のステップＳ１−３）。
【００４１】
時刻Ｔ５
本体２は、ファクシミリ装置２１とＩＴＵ−Ｔ勧告Ｔ．３０に則りファクシミリ通信を開始する。即ち、画像処理装置１００と、ファクシミリ装置２１との間でプロトコルの交換（Ｔ．３０におけるフェーズＢ）、画像転送（Ｔ．３０におけるフェーズＣ）、プロトコル交換（Ｔ．３０におけるフェーズＤ）を行う。
【００４２】
時刻Ｔ６
本体２は、ファクシミリ装置２１とＩＴＵ−Ｔ勧告Ｔ．３０に則りファクシミリ通信を終了する。
【００４３】
図８は、実施例１の画像処理装置の状態遷移図（その２）である。
図は、画像処理装置１００（図１）が、ファクシミリ装置２１（図１）へファクシミリ送信する際に於ける本体２、通信部３、ファクシミリ装置２１の状態遷移図である。以下に時刻順に状態の遷移について説明する。
【００４４】
時刻Ｔ１０
本体２の主制御部４（図１）が、オペレータによってファクシミリ送信指示が入力されたことを検知する（図５のステップＳ４）。
【００４５】
時刻Ｔ１１
本体２の主制御部４（図１）は、ＵＳＢホスト部１２（図１）、ＵＳＢデバイス部１４（図１）、を介して転送要求コマンドを通信部３へ送信する（図５のステップＳ１−５）。
【００４６】
時刻Ｔ１２
本体２の主制御部４（図１）は、ＵＳＢホスト部１２（図１）、ＵＳＢデバイス部１４（図１）、を介して通信部用送信制御プログラム３２（図２）の内容を通信部３へ送信する（図５のステップＳ１−６）。
【００４７】
時刻Ｔ１３
本体２は、ファクシミリ装置２１とＩＴＵ−Ｔ勧告Ｔ．３０に則りファクシミリ通信を開始する。即ち、画像処理装置１００と、ファクシミリ装置２１と間でプロトコルの交換（Ｔ．３０におけるフェーズＢ）、画像転送（Ｔ．３０におけるフェーズＣ）、プロトコル交換（Ｔ．３０におけるフェーズＤ）を行う。
【００４８】
時刻Ｔ１４
本体２は、ファクシミリ装置２１とＩＴＵ−Ｔ勧告Ｔ．３０に則りファクシミリ通信を終了する。
【００４９】
以上説明したように本実施例によれば、本体２のＲＯＭ８に通信用プログラムを送信用と受信用に分割して格納しておき、主制御部４が動作モードを判定し、その判定結果に基づいて送信用か受信用かを選択し、一方のみを本体２から通信部３へ転送することにしたので、転送する通信部用プログラムを小容量化することが出来る。その結果通信部の揮発性メモリの一部をプログラム格納エリアとして利用することが出来るようになり、プログラム格納用の書き換え可能な不揮発性メモリが不要となるので、部品点数の削減及びそれに伴う消費電力の低減が可能になるという効果を得る。
【実施例２】
【００５０】
図９は、実施例２の構成の機能ブロック図である。
図に示すように、実施例２の画像処理装置２００は、本体２と、該本体２を通信回線１８を介して外部装置（図ではファクシミリ装置２１及びＰＣ４０）と接続する通信部２３を備える。更に、本体２は、主制御部４と、操作部５と、スキャナ部６と、プリンタ部７と、ＲＯＭ８と、ＲＡＭ９と、画像処理部１０と、外部インタフェース１１と、ＵＳＢホスト部１２とを有し、通信部２３は、制御部１３と、ＵＳＢデバイス部１４と、ＲＡＭ１５と、変調／復調部１６と、通信回線インタフェース１７と、ＲＯＭ１９と、ＳＷ２２を有している。以下に実施例１との相違部分のみについて説明する。実施例１と同様の部分については実施例１と同一の符号を付して説明を省略する。
【００５１】
通信部２３は、実施例１の通信部に対してＲＡＭ１５への電源（Ｖｃｃ）の供給の通電と遮断をＯＮ／ＯＦＦ切り替えるスイッチＳＷ２２を追加したものである。このＳＷ２２は、トランジスタなどを利用した半導体スイッチ、あるいはメカニカルスイッチの何れであっても良い。他の構成部分は、全て実施例１と同様なので説明を省略する。以下に実施例１と異なる動作のみについて説明する。
【００５２】
図１０は、実施例２の通信用メインプログラムの動作フローチャートである。
このプログラムは、通信部２３（図９）に電源が供給されると実行開始される。画像処理装置２００（図９）に対してファクシミリ送信を希望するファクシミリ装置２１（図９）は、先ず画像処理装置２００（図９）が接続されている通信回線１８（図９）に割当てられた電話番号を交換局２０（図９）に向けて発呼する。交換局２０（図９）は、電話番号を受け取ると、通信回線１８（図９）上に特定の周波数と周期を有するＲＩＮＧ信号（所謂呼び出し信号）を送出する。ＲＩＮＧ信号を受信した通信回線を論理信号に変換し、着信信号として制御部１３（図９）へ送出し、以下のフローへ進む。
【００５３】
ステップＳ２−１１
制御部１３（図９）が、着信信号を検出するとステップＳ２−１２へ進み、それ以外の場合にはステップＳ２−１６へ進む。
【００５４】
ステップＳ２−１２
制御部１３（図９）が、着信検定用プログラム３８（図４）をＲＯＭ１８（図９）から読み出して着信検定を実行する。具体的には、制御部１３に内蔵されている図示しないタイマーを使用し、着信信号の“１”、“０”の切替わり時間を計測し、周波数と周期とを算出し、周波数と周期が所定の範囲内に有るか否かを検定し、所定の範囲内であれば検定結果ＯＫを、所定の範囲内になければ検定結果ＮＧをプログラムの戻り値として出力する。
【００５５】
ステップＳ２−１３
制御部１３（図９）は、着信検定の結果を判定し、ＮＧであればステップＳ２−１６へ進み、ＯＫであればステップＳ２−１４へ進む。
【００５６】
ステップＳ２−１４
制御部１３（図９）は、着信信号受信情報が送信済みか否かを判定し、送信済みであればステップＳ２−１６へ進み、送信済みでなければステップＳ２−１５へ進む。
【００５７】
ステップＳ２−１５
制御部１３（図９）は、ＵＳＢホスト部１２（図９）に対して着信信号受信情報を送信するようにＵＳＢデバイス部１４（図９）へ指示してステップＳ２−１６へ進む。
【００５８】
ステップＳ２−１６
制御部１３（図９）は、転送要求コマンドをＵＳＢデバイス部１４（図９）が受信したか否かを判定する。転送要求コマンドを受信していない場合にはステップＳ２−１１へ戻り、受信している場合は、ステップＳ２−１７へ進む。
【００５９】
ステップＳ２−１７
制御部１３（図９）は、ＳＷ２２（図９）をＯＮにしてＲＡＭ１５（図９）へ電源を供給する。
【００６０】
ステップＳ２−１８
制御部１３（図９）は、転送制御用プログラム３７（図４）を読み出してプログラム転送を実行する。具体的には、ＵＳＢデバイス部１４（図９）に指示してＵＳＢホスト部１２（図９）から送信されてくる通信部用送信制御プログラム３２（図２）あるいは通信部用受信制御プログラム３３（図２）の内容を受信し、通信部用プログラム格納エリア３５（図３）に格納する。
【００６１】
ステップＳ２−１９
制御部１３（図９）は、通信部用プログラム格納エリア３５（図３）に格納されたプログラムを読み出して通信を実行する。
【００６２】
ステップＳ２−２０
制御部１３（図９）は、ＳＷ２２（図９）をＯＦＦにしてＲＡＭ１５（図９）への電源供給を停止してステップＳ２−１１へ戻る。
以上説明した処理は、通信部２３への電源供給が遮断されるまで繰返して実行される。
【００６３】
以上説明したように、本実施例によれば、ＳＷ２２（図９）を設け、ＲＡＭ１５（図９）を使用するときのみＲＡＭ１５（図９）への電源を供給するようにしたので更なる消費電力の低減が可能になるという効果を得る。
【産業上の利用可能性】
【００６４】
上記実施例の説明では、本発明を、画像処理装置としてスキャナ部及びプリンタ部を含む複号機に適用した場合に限定して説明したが、本発明はこの例に限定されるものでは無い。即ち、単独機能のみの画像処理装置にも適用可能である。
【図面の簡単な説明】
【００６５】
【図１】実施例１の構成の機能ブロック図である。
【図２】ＲＯＭ８の内容説明図である。
【図３】ＲＡＭ１５の内容説明図である。
【図４】ＲＯＭ１９の内容説明図である。
【図５】動作モード判定及び転送モード指示のフローチャートである。
【図６】実施例１の通信用メインプログラムの動作フローチャートである。
【図７】実施例１の画像処理装置の状態遷移図（その１）である。
【図８】実施例１の画像処理装置の状態遷移図（その２）である。
【図９】実施例２の構成の機能ブロック図である。
【図１０】実施例２の通信用メインプログラムの動作フローチャートである。
【符号の説明】
【００６６】
２    本体
３    通信部
４    主制御部
５    操作部
６    スキャナ部
７    プリンタ部
８    ＲＯＭ
９    ＲＡＭ
１０    画像処理部
１１    外部インタフェース
１２    ＵＳＢホスト部
１３    制御部
１４    ＵＳＢデバイス部
１５    ＲＡＭ
１６    変調／復調部
１７    通信回線インタフェース
１８    通信回線
１９    ＲＯＭ
２０    交換局
２１    ファクシミリ装置
【図１】
2008060756.tif 000003
【図２】
2008060756.tif 000004
【図３】
2008060756.tif 000005
【図４】
2008060756.tif 000006
【図５】
2008060756.tif 000007
【図６】
2008060756.tif 000008
【図７】
2008060756.tif 000009
【図８】
2008060756.tif 000010
【図９】
2008060756.tif 000011
【図１０】
2008060756.tif 000012